(57)【要約】  開口部３ａが形成された前面パネル３を有する筐体２と、筐体２内に配置された送風機１３と、送風機１３の外周に配置され、開口部３ａに接続されたベルマウス９と、筐体２内に設けられ電気部品１７を搭載した制御基板１６と、電気部品１７から発生した熱を放出する放熱部１８と、放熱部１８を覆い放熱部１８に送風機１３によって発生された空気が流れる通風路２３を形成する風向板２０と、を備え、風向板２０は、ベルマウス９の端部の周縁全周を覆い前面パネル３と平行に延びる仮想面Ｓと前面パネル３との間の領域には設けられていない室外機である。これにより、放熱部１８の冷却能力を向上させることができる。
2019150577.tif 000002
【特許請求の範囲】
【請求項１】
吹出口が形成された前面パネルを有する筐体と、
前記筐体内に配置された送風機と、
前記送風機の外周に配置され、前記吹出口に接続されたベルマウスと、
前記筐体内に設けられ電気部品を搭載した制御基板と、
前記電気部品から発生した熱を放出する放熱部と、
前記放熱部を覆い前記放熱部に前記送風機によって発生された空気が流れる通風路を形成する風向板と、
を備え、
前記風向板は、前記ベルマウスの端部の周縁全周を覆い前記前面パネルと平行に延びる仮想面と前記前面パネルとの間の領域には設けられていない
室外機。
【請求項２】
前記筐体は、前記パネルと対向する背面パネルを有し、
前記放熱部の通風路は、前記背面パネルから前記前面パネルに向かって形成され、
前記通風路の流入口は前記仮想面より前記背面パネル側に設けられ、
前記通風路の流出口は前記仮想面より前記前面パネル側に設けられている
請求項１に記載の室外機。
【請求項３】
前記筐体は、前記パネルと対向する背面パネルを有し、
前記放熱部の通風路は、前記背面パネルから前記前面パネルに向かって形成され、
前記通風路の流入口および流出口は前記仮想面より前記背面パネル側に設けられている
請求項１に記載の室外機。
【請求項４】
前記通風路は、第一の通風路と、第二の通風路とを有し、
前記第一の通風路における入口から出口までの距離は、前記第二の通風路における入口から出口までの距離よりも長い
請求項１から請求項３のいずれか一項に記載の室外機。
【請求項５】
前記電気部品は、前記第二の通風路に対向する位置に配置されている
請求項４に記載の室外機。
【請求項６】
前記第一の通風路の長さ及び前記第二の通風路の長さは前記風向板の長さに応じて異なり、前記風向板の風下側の端部は前記前面パネルと斜めに形成されている
請求項４から請求項５のいずれか一項に記載の室外機。
【請求項７】
前記第一の通風路の長さ及び前記第二の通風路の長さは前記風向板の長さに応じて異なり、前記風向板の風下側の端部は円弧状に形成されている
請求項４から請求項６のいずれか一項に記載の室外機。
【請求項８】
上面視において、前記第二の通風路は前記第一の通風路よりも前記ベルマウスの近くに設けられている
請求項６に記載の室外機。
【請求項９】
前記制御基板にはワイドギャップ半導体が実装されている
請求項１から８のいずれか一項に記載の室外機。
【請求項１０】
請求項１から９のいずれか一項に記載の室外機を備えた空気調和機。  
【発明の詳細な説明】
【技術分野】
【０００１】
本発明は、室外機及び空気調和機に関する。
【背景技術】
【０００２】
従来の空気調和機等に用いられる室外機の内部には、圧縮機や送風機などの動作を制御する制御基板と、制御基板に実装された電気部品から発生する熱を放熱するための放熱部とが設けられている。放熱部は、制御基板に接続されたベースと、ベースから延伸した複数のフィンとを備えている。また、複数のフィンの先端側にエアガイドを設け、ベース、複数のフィン及びエアガイドによって囲まれた通風路を形成し、通風路に空気を流通させることで放熱部全体を効率的に冷却させるものがある（例えば、特許文献１）。
【先行技術文献】
【特許文献】
【０００３】
【特許文献１】特開２００９−２９９９０７号公報
【発明の概要】
【発明が解決しようとする課題】
【０００４】
前面パネルに形成された吹出口にベルマウスを有する室外機において、放熱部は送風機が配置された空間に前面パネル及びベルマウスに隣接して配置されるため、放熱部の風下端部は、圧縮機が配置された空間と送風機が配置された空間とを仕切る仕切り板と前面パネルとベルマウスとによって閉塞空間を形成し、放熱部の風下側に空気の淀み（高圧の部分）が発生する。これにより、エアガイドが設けられていても通風路に十分な空気が流通せず、放熱部の冷却能力が十分に得られないという問題があった。【０００５】
本発明は上記した問題点を解決するためになされたものであり、放熱部の冷却能力を向上させる室外機を提供することを目的とする。
【課題を解決するための手段】
【０００６】
本発明に係る室外機は、吹出口が形成された前面パネルを有する筐体と、筐体内に配置された送風機と、送風機の外周に配置され、吹出口に接続されたベルマウスと、筐体内に設けられ電気部品を搭載した制御基板と、電気部品から発生した熱を放出する放熱部と、放熱部を覆い放熱部に送風機によって発生された空気が流れる通風路を形成する風向板と、を備え、風向板は、ベルマウスの端部の周縁全周を覆い前面パネルと平行に延びる仮想面と前面パネルとの間の領域には設けられていない。
【発明の効果】
【０００７】
本発明の室外機では、放熱部と風向板とで形成された通風路の出口がベルマウスよりも風上側にあり、空気の淀みが少なく圧損の低い空間に開口しているので、通風路に空気が流通しやすくなる。これにより、通風路に流通する空気の流速が上がり、放熱部の冷却能力を向上させることができる。
【図面の簡単な説明】
【０００８】
【図１】本発明の実施の形態１に係る室外機の一例を示す斜視図である。
【図２】本発明の実施の形態１に係る室外機の図１におけるＡ−Ａ線断面図である。
【図３】本発明の実施の形態１に係る室外機の図２におけるＢ−Ｂ線断面図である。
【図４】本発明の実施の形態１に係る室外機の放熱部を示す斜視図である。
【図５】本発明の実施の形態１に係る室外機の要部拡大図である。
【図６】本発明の実施の形態１に係る室外機の要部拡大図である。
【図７】比較例に係る室外機の要部拡大図である。
【図８】本発明の実施の形態１に係る室外機の変形例１を示す要部拡大図である。
【図９】本発明の実施の形態１に係る室外機の変形例１を示す要部拡大図である。
【図１０】本発明の実施の形態２に係る室外機の要部拡大図である。
【図１１】本発明の実施の形態２に係る室外機の要部拡大図である。
【図１２】本発明の実施の形態２に係る室外機の変形例１を示す要部拡大図である。
【図１３】本発明の実施の形態２に係る室外機の変形例２を示す要部拡大図である。
【図１４】本発明の実施の形態３に係る室外機を示す要部拡大図である。
【発明を実施するための形態】
【０００９】
以下、図面を参照しながら本発明の実施の形態について説明する。以下の図面において同一又は相当する部分には同一の参照番号を付し、その説明は繰り返さない。なお、図中の矢印は、空気の流通方向を示している。また、図１を含め以下の図面では、各構成部材の大きさの関係が実際のものと異なる場合がある。さらに、明細書全文に表されている構成要素の形態は、あくまで例示であって、これらの記載に限定されるものではない。
【００１０】
実施の形態１．
図１〜図３を参照して、本発明の実施の形態１の室外機の概略構成について説明する。図１は室外機の斜視図を示している。図２は、図１のＡ−Ａ断面図であり、室外機１の前面パネル３を除外した状態を示している。図３は、図２に示す室外機１のＢ−Ｂ断面図であり、説明の便宜上、前面パネル３が取付けられた状態を示している。
【００１１】
室外機１は、例えば空気調和機に適用され、外郭を構成する筐体２と、筐体２内に設けられた熱交換器２２と、圧縮機１４と、送風機１３と、電装品箱１５とを備えている。
【００１２】
筐体２は、筐体２の前面を構成する前面パネル３と、前面パネル３と対向し筐体２の背面を構成する背面パネル８と、筐体２を前面から眺めた場合の左側面を構成する左側面パネル４と、左側面パネル４と対向し筐体２を前面から眺めた場合の右側面を構成する右側面パネル５と、筐体２の底面を構成する底面パネル６と、底面パネル６と対向し筐体２の天面を構成する天面パネル７とで構成されている。なお、前面パネル３と左側面パネル４とが、一つの部品で構成されていてもよい。
【００１３】
前面パネル３には、円形状の開口部３ａが形成されている。左側面パネル４には、開口部４ａが形成されている。背面パネル８には、開口部８ａが形成されている。開口部４ａ及び開口部８ａは、筐体２の外部から内部へ空気を取り込むためのものである。開口部３ａは、筐体２の内部から外部へ空気を排出するためのものであり、空気の吹出口である。
【００１４】
前面パネル３の開口部３ａには、開口部３ａの周縁から筐体２の内部に張り出す円環形状のベルマウス９が設けられ、筐体２の内部に張り出したベルマウス９の端部９ａは、上面視において前面パネル３と平行に張り出している。ベルマウス９の内側には送風機１３が設けられ、ベルマウス９は、送風機１３の外周を囲むように送風機１３の回転方向に沿った円環形状を呈し、送風機１３によって発生する空気の流れを整流している。なお、前面パネル３が、本発明におけるパネルに相当する。
【００１５】
熱交換器２２は、積層された複数のフィンとフィンを貫通する伝熱管とを有しており、伝熱管を通過する冷媒と空気との間で熱交換を行う。熱交換器２は、上面視においてＬ字型に屈曲した形状を有しており、背面パネル８及び左側面パネル４に沿って配置されている。圧縮機１４は、冷媒を圧縮して吐出する装置であり、後述する機械室１２内に配置されている。
【００１６】
送風機１３は、前面パネル３と背面パネル８との間に配置されている。送風機１３は、開口部３ａと対向している。送風機１３は、例えばプロペラファンとファンモータとで構成される送風手段であり、背面パネル８の開口部８ａ及び左側面パネル４の開口部４ａから前面パネル３の開口部３ａへ流れる空気の流れを発生させ、熱交換器２２における熱交換を効率的に行なうための空気循環を生成する。また、機械室１２には、圧縮機１４と圧縮機１４に接続された冷媒配管（図示せず）が設けられている。
【００１７】
室外機１の筐体２の内部は、仕切り板１０によって送風機室１１と機械室１２とに区画されている。送風機室１１は、前面パネル３と、左側面パネル４と、底面パネル６と、天面パネル７と、背面パネル８と、仕切り板１０とによって形成される空間である。機械室１２は、前面パネル３と、右側面パネル５と、底面パネル６と、天面パネル７と、背面パネル８と、仕切り板１０とによって形成される空間である。開口部３ａ、開口部４ａ及び開口部８ａは、送風機室１１に面した位置に形成されている。
【００１８】
電装品箱１５は、空気調和機の構成部品を制御するためのものであり、仕切り板１０の上部に、送風機室１１と機械室１２とに跨がって配置されている。電装品箱１５は、電気部品１７が取り付けられた制御基板１６が収容され、電気部品１７には、電気部品から発生した熱を放出する放熱部１８が取り付けられている。また、放熱部１８は一部が風向板２０で覆われている。
【００１９】
電気部品１７は、空気調和機の構成部品を制御するためのものであり、例えば半導体素子等で構成されている。交流電力を入力とする場合、制御基板１６は、交流電力を直流電力に変換するコンバータ部と、該直流電力を交流電力に変換して圧縮機１４の圧縮機モータあるいは送風機１３のファンモータを駆動するインバータ部とを有している。
【００２０】
コンバータ部は、例えば整流用のダイオードブリッジモジュール、直流電力に変換する際に直流電圧を可変するためのスイッチング素子、又は直流電圧の昇圧による電源側への電流逆流を防止する逆流防止素子等で構成される。インバータ部は、例えば６つのスイッチング素子を含むインバータモジュールで構成される。なお、半導体素子の種類はこれらに限定されず、回路構成によって決定してもよい。
【００２１】
図２に示すように、放熱部１８は制御基板１６の下方に配置されており、送風機室１１において、制御基板１６の送風機室１１側に配置されている。放熱部１８は正面視において、ベルマウス９の端部９ａよりも外側である、ベルマウス９と重ならない位置に配置されている。放熱部１８は、電気部品１７と接触して設けられており、制御基板１６が有する電気部品１７を冷却するためのものである。
【００２２】
放熱部１８は、下方が風向板２０で覆われ、放熱部１８と風向板２０とで囲われた空間が、通風路２３として形成されている。図３に示すように、送風機１３によって形成された風は、背面パネル８から前面パネル３に向かって流れ、放熱部１８の通風路２３にも背面パネル８側から前面パネル３側に向かって風が流れる。
【００２３】
放熱部１８は、上面視において、背面パネル８よりも前面パネル３寄りに配置され、前面パネル３側に面した風下側端部１８ｄが前面パネル３及びベルマウス９に隣接した状態で配置されている。具体的には、ベルマウス９を塞ぐように、ベルマウス９の端部９ａの周縁全周を覆い前面パネル３の内面３ｂと平行な仮想面を仮想面Ｓとし、仮想面Ｓと前面パネル３との間の領域を領域Ｒとしたとき、放熱部１８の風下側端部１８ｄは、領域Ｒに配置されている。
【００２４】
次に、図４〜６を参照して、放熱部１８の構成について説明する。以下、右側面パネル５から左側面パネル４に向かう方向をＸ方向とし、背面パネル８から前面パネル３に向かう方向をＹ方向とし、天面パネル７から底面パネル６へ向かう方向をＺ方向とする。また、背面パネル８側を風上側とし、前面パネル３側を風下側とする。
【００２５】
図４は、室外機１の背面パネル８側から見た放熱部１８と風向板２０の斜視図を示している。図５は、室外機１の左側面パネル４側から見た放熱部１８の側面図を示しており、説明の便宜上、前面パネル３、ベルマウス９、背面パネル８も合わせて示している。図６は、室外機１の底面パネル６側から見た放熱部１８の底面図を示している。
【００２６】
図４に示すように、放熱部１８は、ベース１９とベース１９から直角に延びる複数のフィン２１とで形成され、複数のフィン２１の先端が一部風向板２０で覆われている。放熱部１８のベース１９と、隣り合う２つのフィン２１の間に形成された間隙と、風向板２０とで囲われた空間が、通風路２３として形成されている。
【００２７】
ベース１９は、電気部品１７に取り付けられ、Ｙ方向に延びる長方形状の板状部材である。フィン２１は長手方向の長さがベース１９の長手方向の長さと等しい長方形状であり、ベース１９の短手方向（Ｚ方向）に複数形成されている。
【００２８】
複数のフィン２１はそれぞれ、長手方向において風上側の端部である風上側端部２１ｃと、風下側の端部である風下側端部２１ｄとを有している。複数のフィン２１の風上側端部２１ｃが、放熱部１８の風上側端部１８ｃに相当し、複数のフィン２１の風下側端部２１ｄが、放熱部１８の風下側端部１８ｄに相当する。
【００２９】
風向板２０は、平面部２０ａと、傾斜部２０ｂとで構成されている。平面部２０ａは、ベース１９に対向したＹ方向に延びる長方形状の板状部材であり、放熱部１８の風下側を除く、複数のフィン２１の先端の一部を覆っている。傾斜部２０ｂは、平面部２０ａの風上側に接続されている板状部材であり、平面部２０ａに対して重力方向（Ｚ方向）に傾斜している。
【００３０】
傾斜部２０ｂの風上側端部が、風向板２０の風上側端部２０ｃに相当し、平面部２０ａの風下側端部が、風向板２０の風下側端部２０ｄに相当する。通風路２３は背面パネル８から前面パネル６に向かって形成され、送風機１３によってＹ方向に風が送られる。風向板２０の傾斜部２０ｂによって、通風路２３に対する空気の流速を増加させることができる。
【００３１】
風向板２０の風上側端部２０ｃは、複数のフィン２１の風上側端部２１ｃよりも風上側に配置されており、放熱部１８の複数のフィン２１の風下側の一部は風向板に覆われておらず、開放されている。
【００３２】
放熱部１８の風上側端部１８ｃ（フィン２１の風上側端部２１ｃ）は、通風路２３に空気が流入するための流入口２４である。放熱部１８の風下側端部１８ｄ（フィン２１の風下側端部２１ｄ）は、通風路２３から空気が流出するための流出口２５ａであり、風向板２０で覆われていない複数のフィン２１の風下側の一部も、通風路２３から空気が流出するための流出口２５ｂである。流出口２５は、放熱部１８の風下側端部である流出口２５ａおよび、風向板２０で覆われていない複数のフィン２１の先端部分である流出口２５ｂによって構成されている。
【００３３】
図５及び図６に示すように、流入口２４は仮想面Ｓよりも風上側に配置されている。また、流出口２５ａは仮想面Ｓよりも風下側に配置され、流出口２５ｂは仮想面Ｓよりも風上側から風下側にかけて形成されている。流入口２４の開口面積は、流出口２５ａの開口面積と同等である。また、流出口２５は、流入口２４と同等の開口面積である流出口２５ａに加えて流出口２５ｂを有している。つまり、流出口２５の開口面積は流入口２４の開口面積よりも大きくなっている。なお、以下では、「開口面積」を単に「面積」として説明することもある。
【００３４】
また、風向板２０の風上側端部２０ｃは、放熱部１８の風上側端部１８ｃよりも風上側に配置されており、風向板２０の風下側端部２０ｄは、Ｙ方向において仮想面Ｓよりも風上側に配置されており、領域Ｒに配置されていない。
【００３５】
次に、放熱部１８における空気の流れについて説明する。なお、放熱部１８の効果の理解を容易とするため、以下ではまず、比較例の放熱部の構成について説明する。その後、本実施の形態１に係る放熱部１８における空気の流れについて説明する。なお、比較例を示す際、比較例の構成には、当該構成と対応する本実施の形態１の構成の符号に「１０００」を加えた符号を付するものとする。
【００３６】
［比較例］
図７を参照して、比較例の放熱部１０１８の構成について説明する。比較例の放熱部１０１８が本実施の形態１に係る放熱部１８と異なる点は、風向板１０２０が複数のフィン１０２１の全体を覆っている点である。
【００３７】
図７に示すように、比較例の放熱部１０１８は、風向板１０２０の風下側端部１０２０ｄが、Ｙ方向において複数のフィン１０２１の風下側端部１０２１ｄと同等の位置に配置されている。また、放熱部１０１８は、複数のフィン１０２１の先端側の全体が風向板１０２０に覆われている。つまり、比較例の放熱部１０１８は、本実施の形態１に係る放熱部１８に形成されている流出口２５ｂに相当する開口部を有していない。すなわち、通風路１０２３の流出口１０２５は、流入口１０２４と対向する流出口１０２５ａのみとなる。したがって、流出口１０２５の面積は、流入口１０２４の面積と同等である。
【００３８】
次に、比較例の放熱部１０１８における空気の流れについて説明する。送風機１３によって放熱部１０１８に供給された空気は、流入口１０２４から通風路１０２３へ流入する。このとき、放熱部１０１８に供給された空気の一部は、風向板１０２０の傾斜部１０２０ｂによって流入口１０２４に案内される。通風路１０２３を通過した空気は、流出口１０２５（流出口１０２５ａ）から通風路１０２３の外部へ流出する。
【００３９】
放熱部１０１８の流入口１０２４から流入した空気は、筐体２の前面パネル３に向かって流出口１０２５から流出するが、空気が流出した空間は、前面パネル１０と、天面パネル７と、筐体２の内部に張り出したベルマウス９と、送風機室１１と機械室１２とを区画する仕切り板１０と、さらには放熱部１０１８の流出口１０２５とに囲われた閉塞空間となっている。そのため、閉塞空間の圧力は高く、放熱部１０１８の流出口１０２５側は背面パネル８から前面パネル３に開口した開口部３ａに向かって空気が流れている、仮想面Ｓより風下側にある空間よりは圧力が低いため、通風路１０２３に空気が流通しにくくなる。
【００４０】
一方、本実施の形態１に係る放熱部１８は、風向板２０の風下側端部２０ｄが、仮想面Ｓよりも風上側に配置されている。これにより、通風路２３の仮想面Ｓよりも風上側かつＺ方向下方には、風向板２０に覆われずに露出した流出口２５ｂが形成され流出口２５の一部として機能する。流出口２５ｂは、ベルマウス９で塞がれておらず圧力が小さい空間と連通している。
【００４１】
そのため、通風路２３を通過した空気は、流出口２５（流出口２５ｂ）から、ベルマウス９で塞がれておらず圧力が小さい空間へ流出する。よって、流出口２５で空気が淀むことなく、通風路２３に十分な空気が流通し、放熱部１８の冷却能力を向上させることができる。
【００４２】
放熱部１８の冷却能力向上により、制御基板１６に実装された電気部品１７が効率的に冷却され、制御基板１６及び電気部品１７の寿命を確保することができる。電気部品１７は、例えば電解コンデンサである。電解コンデンサは、電解液を含むことから周囲温度の影響を受けやすい。電解コンデンサの寿命は周囲温度で決まり、周囲温度が１０度下がると寿命が約２倍となる。
【００４３】
なお、通風路の空気の流れを改善する方法として、前面パネルに穴を開け前面パネルから外に空気を流す排気経路を設けることで、閉塞空間を解消する方法も考えられる。しかしながら、制御基板にＧａＮやＳｉＣ等のワイドギャップ半導体が実装されている場合、ワイドギャップ半導体は従来の半導体と比べて放射ノイズが高いため、前面パネルに空けた穴から放射ノイズが漏れ、室外機に隣接する電気機器が誤動作を起こすおそれがある。よって、制御基板にワイドギャップ半導体が実装されている場合においては特に、前面パネルに穴を開け閉塞空間を解消する方法をとることはできず、前面パネルに穴を開けずに通風路の空気の流れを改善させる本発明方法が好適である。
【００４４】
次に、実施の形態１の変形例１について、図８、９を用いて説明する。上記した実施の形態１では、風向板２０の風下側端部２０ｄが、仮想面Ｓよりも風上側になるよう配置されている放熱部１８について説明した。しかし、図８に示すように、風向板２０が、複数のフィン２１全体を覆い、かつ、風向板２０の平面部２０ａかつ、仮想面Ｓよりも風上側に、通風路２３と放熱部１８の外部とを連通する開口部である流出口２５ｃが形成された放熱部１８としてもよい。
【００４５】
図８は室外機１の左側面パネル４側から見た変形例１における放熱部１８の側面図を示しており、図９は室外機１の底面パネル６側から見た変形例１における放熱部１８の底面図を示している。
【００４６】
図９に示すように、変形例１の風向板２０には、例えば円形形状の流出口２５ｃが形成されている。流出口２５ｃは仮想面Ｓよりも風上側から風下側にかけて形成されている。このように構成された放熱部１８にあっても、仮想面Ｓよりも風上側である、流出口２５が流入口１０２４側よりも圧損が小さい空間に向かって形成されているため、通風路２３に空気が流通しやすくなり放熱部１８の冷却能力が向上する。
【００４７】
なお、流出口２５ｃの形状は円形に限定されず、四角形や三角形等の他の形状であってもよい。また、流出口２５ｃの数は一つでも複数でもよく、仮想面Ｓの風上側のみに開口していてもよい。さらに、風向板２０は放熱部１８の風下側を開放し一部のみ覆っていてもよい。
【００４８】
実施の形態２．
次に、本発明の実施の形態２に係る室外機１について、図１０、１１を用いて説明する。実施の形態１に係る放熱部１８は、前面パネル３及び複数のフィン２１の風下側端部と平行な風下側端部を有する風向板２０を備えているのに対し、実施の形態２に係る放熱部１８は、前面パネル３及び複数のフィン２１の風下側端部と平行でない風下側端部を有する風向板３０を備えている点が異なる。
【００４９】
図１０は室外機１の左側面パネル４側から見た実施の形態２に係る放熱部１８の側面図を示しており、図１１は室外機１の底面パネル６側から見た実施の形態２に係る放熱部１８の底面図を示している。以下、特に説明しない限り、実施の形態１と同一の構成には同一の符号を付し、説明を繰り返さない。
【００５０】
図１０に示すように、実施の形態２に係る室外機１の放熱部１８は、長方形状の平面部３０ａと、平面部３０ａの長手方向側の端部に傾斜部３０ｂとを有する風向板３０を備えている。傾斜部３０ｂは、平面部３０ａの風上側に接続されている。平面部３０ａと傾斜部３０ｂとは、一体に形成されている。傾斜部３０ａは、平面部３０ａに対して重力方向（Ｚ方向）に傾斜している。平面部３０ａは、Ｚ方向において、ベース１９に対向している。平面部３０ａは、複数のフィン２１の風向板側端部２１ｄに接している。
【００５１】
また、風向板３０は、風上側端部３０ｃと風下側端部３０ｄとを有する。風上側端部３０ｃは、傾斜部３０ｂの端部である。風上側端部３０ｃは、複数のフィン２１の風上側端部２１ｃよりも風上側に配置されている。風下側端部３０ｄは、平面部３０ａの端部である。
【００５２】
さらに、図１１に示すように、風向板３０の風下側端部３０ｄは、複数のフィン２１の風下側端部２１ｄに対して斜めに直線状に形成されており、Ｘ方向において、第一の風上側側面端部３０ｅと第二の風上側側面端部３０ｆとを有している。風向板３０の風下側端部３０ｄは、Ｘ方向において、第一の風下側側面端部３０ｇと第二の風下側側面端部３０ｈとを有している。第一の風上側側面端部３０ｅ及び第一の風下側側面端部３０ｇは仕切り板１０に対向した端部であり、第二の風上側側面端部３０ｆ及び第二の風下側側面端部３０ｈはベルマウス９に対向した端部である。
【００５３】
風向板３０の風上側端部３０ｃから風下側端部３０ｄまでの距離は、第二の風上側側面端部３０fから第二の風下側側面端部３０ｈまでが最も短く、第一の風上側側面端部３０ｅから第一の風下側側面端部３０ｇまでが最も長く、第二の風下側側面端部３０ｈから第一の風下側側面端部３０ｇに近づくほど長くなっている。
【００５４】
図１１に示す破線は、制御基板１６に実装された電気部品１７の位置を示している。電気部品１７は、ベース１９に接続されている。電気部品１７は、Ｘ方向において、ベルマウス９に対向した端部に配置されている。また、Ｙ方向において、電気部品１７と第二の風下側側面端部３０ｈとの距離は、電気部品１７と第一の風下側側面端部３０ｇとの距離よりも短い。また、Ｙ方向において、第二の風下側側面端部３０ｈと前面パネル３の内面３ｂとの距離は、第一の風下側側面端部３０ｇと前面パネル３の内面３ｂとの距離よりも長い。
【００５５】
また、第一の風下側側面端部３０ｇは、仮想面Ｓよりも風下側に配置され、第二の風下側側面端部３０ｈは、仮想面Ｓよりも風上側に配置されている。さらに、第一の風下側側面端部３０ｇと第二の風下側側面端部３０ｈとは直線状に接続されている。風向板３０の平面部３０ａは、上面視において、風下側端部３０ｄが仮想面Ｓに交差する形状を呈している。つまり、放熱部１８の流出口２５（流出口２５ｂ）の一部が仮想面Ｓよりも風上側に形成されている。
【００５６】
第二の風下側側面端部３０ｈは、仮想面Ｓよりも風上側に配置されているため、通風路の出口がベルマウスよりも風上側にあり、空気の淀みが少なく圧損の低い空間に開口しているので、通風路に空気が流通しやすくなる。これにより、通風路に流通する空気の流速が上がり、放熱部の冷却能力を向上させることができる。
【００５７】
また、複数のフィン２１の風下側端部２１ｄに対して斜めに形成された風向板３０の風下側端部３０ｄは、長さの異なる複数の通風路２３を有している。複数の通風路２３のうち、第一の風下側側面端部３０ｇ側にある距離が長い通風路を第一の通風路２３ａとし、第二の風下側側面端部３０ｈ側にある距離が短い通風路を第二の通風路２３ｂとすると、電気部品１７は第二の通風路２３ｂと対向する位置に配置されている。
【００５８】
通風路２３を流通する空気の流速は、流出口２５の位置が前面パネル３に近づくほど遅くなる。そのため、第二の通風路２３ｂにおける空気の流速は、第一の通風路２３ａにおける流速よりも速くなる。電気部品１７は第二の通風路２３ｂと対向する位置に配置されているので、電気部品１７に対応する位置の通風路２３を流通する空気の流速が速くなる。これにより、電気部品１７を効率的に冷却することができる。  
【００５９】
したがって、ベース１９に接続されるすべての電気部品１７を第二の風下側側面端部３０ｈ側に配置することで、電気部品１７を効率的に冷却することができる。なお、電気部品１７のうち、熱損失の大きいものを第二の風下側側面端部３０ｈ側に配置し、熱損失の小さいものを第一の風下側側面端部３０ｇ側に配置してもよい。このように配置することで、熱損失の大きい電気部品１７を効率的に冷却することができる。
【００６０】
また、第二の風下側側面端部３０ｈにおいて、風上側から風下側に向かって、電気部品１７のうち熱損失の大きいものから順に配置してもよい。このように配置することで、熱損失の大きい電気部品１７を効率的に冷却することができる。
【００６１】
次に、実施の形態２の変形例１について説明する。上記した実施の形態２では、風向板３０の風下側端部３０ｄが直線状を呈し、上面視において風向板３０が台形形状を呈する例について説明した。しかし、図１２に示すように、風向板３０の風下側端部３０ｄが円弧状を呈するものとしてもよい。図１２は、室外機１の底面パネル６側から見た実施の形態２の変形例１に係る放熱部１８の底面図を示している。
【００６２】
図１２に示すように、風向板３０の第一の風下側側面端部３０ｇは、風下側端部３０ｄのＸ方向における両端に位置する。また、風向板３０の第二の風下側側面端部３０ｈは、風下側端部３０ｄのＸ方向における中央に位置する。また、さらに、第一の風下側側面端部３０ｇと第二の風下側側面端部３０ｈとは円弧状に接続されている。電気部品１７は、Ｘ方向において、第二の風下側側面端部３０ｈ側に配置されている。また、上面視において、電気部品１７は、第二の風下側側面端部３０ｈを通りＹ方向に平行な直線上に配置されている。
【００６３】
次に、実施の形態２の変形例２について説明する。上記した実施の形態２では、風向板３０の風下側端部３０ｄが直線状を呈し、上面視において風向板３０が台形形状を呈する例について説明した。しかし、図１３に示すように、風向板３０の風下側端部３０ｄがＬ字状を呈するものとしてもよい。
【００６４】
図１３に示すように、風向板３０の第一の風下側側面端部３０ｇは、風下側端部３０ｄのＸ方向における両端に位置する。また、風向板３０の第二の風下側側面端部３０ｈは、風下側端部３０ｄのＸ方向における中央に位置する。さらに、第一の風下側側面端部３０ｇと第二の風下側側面端部３０ｈとは直線状に接続されている。電気部品１７は、Ｘ方向において、第二の風下側側面端部３０ｈ側に配置されている。また、上面視において、電気部品１７は、第二の風下側側面端部３０ｈを通りＹ方向に平行な直線状に配置されている。
【００６５】
実施の形態２の変形例１、２の放熱部１８においても、第二の風下側側面端部３０ｈに対応する通風路２３を流通する空気の流速が速くなり、第二の風下側側面端部３０ｈ側に配置された電気部品１７を効率的に冷却することができる。また、Ｘ方向における放熱部１８の中央に電気部品１７を配置することで、電気部品１７で発生した熱が放熱部１８全体に伝わりやすくなるため、電気部品１７を効率的に冷却することができる。
【００６６】
なお、上記した実施の形態２では、風向板３０の第一の風下側側面端部３０ｇが仮想面Ｓよりも風下側に配置される例について説明したが、第一の風下側側面端部３０ｇが仮想面Ｓよりも風上側に配置されるものとしてもよい。このような構成により、流出口２５ｂの面積がより大きくなり、圧損がより小さい空間に流れやすくなり通風路２３に空気が流通しやすくなる。
【００６７】
実施の形態３．
次に、本発明の実施の形態３に係る室外機１について、図１４を用いて説明する。実施の形態１に係る放熱部１８は、風下側端部１８ｄが仮想面Ｓよりも風下側に配置されているのに対し、実施の形態３に係る放熱部１８０は、風下側端部１８０ｄが仮想面Ｓよりも風上側に配置されている点が異なる。
【００６８】
図１４は室外機１の左側面パネル４側から見た実施の形態３に係る放熱部１８０の側面図を示している。以下、特に説明しない限り、実施の形態１と同一の構成には同一の符号を付し、説明を繰り返さない。
【００６９】
図１４に示すように、実施の形態３に係る室外機１の放熱部１８０は、ベース１９０とベース１９０から直角に延びる複数のフィン２１０とで形成され、複数のフィン２１０の先端が一部風向板２００で覆われている。放熱部１８０のベース１９０と、隣り合う２つのフィン２１０の間に形成された間隙と、風向板２００とで囲われた空間が、通風路２３０として形成されている。
【００７０】
ベース１９０は、電気部品１７に取り付けられ、Ｙ方向に延びる長方形状の板状部材である。フィン２１０は長手方向の長さがベース１９０の長手方向の長さと等しい長方形状であり、ベース１９０の短手方向（Ｚ方向）に複数形成されている。
【００７１】
複数のフィン２１０はそれぞれ、長手方向において風上側の端部である風上側端部２１０ｃと、風下側の端部である風下側端部２１０ｄとを有している。複数のフィン２１０の風上側端部２１０ｃが、放熱部１８０の風上側端部１８０ｃに相当し、複数のフィン２１０の風下側端部２１０ｄが、放熱部１８０の風下側端部１８０ｄに相当する。
【００７２】
風向板２００は、平面部２００ａと、平面部２００ａの長手方向側の端部に傾斜部２００ｂとを有している。傾斜部２００ｂは、平面部２００ａの風上側に接続されている。平面部２００ａと傾斜部３０ｂとは、一体に形成されている。傾斜部２００ａは、平面部３０ａに対して重力方向（Ｚ方向）に傾斜している。平面部２００ａは、Ｚ方向において、ベース１９０に対向している。
【００７３】
風向板２００は、風上側端部２００ｃと風下側端部２００ｄとを有する。風上側端部２００ｃは、傾斜部２００ｂの端部である。風上側端部２００ｃは、複数のフィン２１の風上側端部２１ｃよりも風上側に配置されている。風下側端部２００ｄは、平面部２００ａの端部である。
【００７４】
図１４に示すように、放熱部１８０の風下側端部１８０ｄ及び風向板２００は仮想面Ｓよりも風上側に配置され、放熱部１８および風向板２００は、仮想面Ｓと前面パネル３との間の領域である領域Ｒに配置されていない。
【００７５】
したがって、通風路２３０を通過した空気は、仮想面Ｓよりも風上側に流出するため、流出口で空気が淀むことなく、通風路２３に十分な空気が流通し、放熱部１８０の冷却能力を向上させることができる。
【００７６】
さらに、実施の形態１から２に示すように、放熱部の風上側端部の一部を風向板で覆わず、第２の流出口を設けることによりさらに通風路２３０に空気が流通しやすくなり、放熱部１８０の冷却能力をさらに向上させることができる。
【００７７】
なお、図１４において放熱部１８０のＹ軸方向の長さと風向板２００のＹ軸方向の長さが同じ形態を示したが、実施の形態１に示すように、風向板２００のＹ軸方向の長さを放熱部１８０のＹ軸方向の長さに比べ短くしたり、風向板２００に例えば円形形状の流出口を形成させたりすることでさらに流速を高め冷却能力を向上させることができる。
【００７８】
また同様に、実施の形態２に示すように、風向板２００の風下側端部２００ｄを風下側端部２１０ｄに対して斜めに形成したり、円弧状や、Ｌ字状に形成させたりすることで、風向板２００の風上側端部２００ｃから風下側端部２００ｄまでの距離が短い箇所ほど流速を高め冷却能力を向上させることができる。すなわち、上述した各実施例を適宜組み合わせた構成も実施可能である。 
【００７９】
上記した実施の形態１から３では、複数のフィン２１、２１０が板状の部材で構成される例について説明したが、複数のフィン２１、２１０の形状はこれに限定されない。例えば、棒状等の他の形状であってもよい。
【００８０】
また、上記した実施の形態１から３では、制御基板１６が水平に配置された横置きの例について説明したが、制御基板１６が重力方向（Ｚ方向）に配置される縦置きとしてもよい。その場合、複数のフィン２１は水平方向に延び、風向板２０、３０、２００の平面部２０ａ、３０ａ、２００ａはＺ方向に沿って延びるように配置される。
【００８１】
さらに、上記した実施の形態１から３では、風向板２０、３０、２００の平面部２０ａ、３０ａ、２００ａが、複数のフィン２１、２１０の風向板側端部２１ｄ、２１０ｄに接続される例について説明したが、平面部２０ａ、３０ａ、２００ａと風向板側端部２１ｄ、２１０ｄとの間に間隙が形成されていてもよい。
【００８２】
また、上記した実施の形態１から３では、風向板２０、３０、２００が傾斜部２０ｂ、３０ｂ、２００ｂを備える例について説明したが、風向板２０、３０、２００が傾斜部２０ｂ、３０ｂ、２００ｂを備えず、風向板２０、３０、２００の全体が平面状に形成されるものであってもよい。この場合、平面部２０ａ、３０ａ、２００ａの風上側端部が風向板２０、３０、２００の風上側端部２０ｃ、３０ｃ、２００ｃとなる。このとき、風向板２０、３０、２００の風上側端部２０ｃ、３０ｃ、２００ｃは、複数のフィン２１、２１０の風上側端部２１ｃ、２１０ｃとＹ方向において同等の位置に配置されていてもよい。
【００８３】
また、上記した実施の形態１から３では、ベース１９、１９０の長手方向の長さとフィン２１、２１０の長手方向の長さが等しい例を示したが、複数のフィン２１、２１０の長手方向の長さがベース１９、１９０の長手方向の長さよりも短く、ベース１９、１９０の上流側もしくは下流側に寄せて設けられ、風下側もしくは風上側のみが開放されていてもよい。
【００８４】
なお、上記した実施の形態１から３の室外機を、ヒートポンプ式給湯器の室外機に適用してもよい。
【符号の説明】
【００８５】
１  室外機、２  筐体、３  前面パネル、３ａ  開口部、３ｂ  内面、４  左側面パネル、４ａ  開口部、５  右側面パネル、６  底面パネル、７  天面パネル、８  背面パネル、８ａ  開口部、９  ベルマウス、９ａ  風上側端部、１０  仕切り板、１１  送風機室、１２  機械室、１３  送風機、１４  圧縮機、１５  電装品箱、１６  制御基板、１７  電気部品、１８  放熱部、１８ｃ  風上側端部、１８ｄ  風下側端部、１９  ベース、１９ａ  平面部、１９ｂ  風下側端部、２０  風向板、２０ａ  平面部、２０ｂ  傾斜部、２０ｃ  風上側端部、２０ｄ  風下側端部、２１  フィン、２１ｃ  風上側端部、２１ｄ  風下側端部、２２  熱交換器、２３  通風路、２３ａ  第一の通風路、２３ｂ  第二の通風路、２４  流入口、２５  流出口、２５ａ  流出口、２５ｂ  流出口、２５ｃ  流出口、３０  風向板、３０ａ  平面部、３０ｂ  傾斜部、３０ｃ  風上側端部、３０ｄ  風下側端部、３０ｅ  第一の風上側側面端部、３０ｆ  第二の風上側側面端部、３０ｇ  第一の風下側側面端部、３０ｈ  第二の風下側側面端部、２００  風向板、２００ａ  平面部、２００ｂ  傾斜部、２００ｃ  風上側端部、２００ｄ  風下側端部、２１０  フィン、２１０ｃ  風上側端部、２１０ｄ  風下側端部、２３０  通風路、１００３  前面パネル、１００９  ベルマウス、１０１８  放熱部、１０２０  風向板、１０２０ｂ  傾斜部、１０２０ｃ  風上側端部、１０２０ｄ  風下側端部、１０２０  フィン、１０２０ｄ  風向板側端部、１０２０ｅ  風下側端部、１０２３  通風路、１０２４  流入口、１０２５  流出口、１０２５ａ  流出口、Ｓ  仮想面、Ｒ  領域。
【図１】
2019150577.tif 000003
【図２】
2019150577.tif 000004
【図３】
2019150577.tif 000005
【図４】
2019150577.tif 000006
【図５】
2019150577.tif 000007
【図６】
2019150577.tif 000008
【図７】
2019150577.tif 000009
【図８】
2019150577.tif 000010
【図９】
2019150577.tif 000011
【図１０】
2019150577.tif 000012
【図１１】
2019150577.tif 000013
【図１２】
2019150577.tif 000014
【図１３】
2019150577.tif 000015
【図１４】
2019150577.tif 000016
【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
気流の吹出口が形成された前面パネルを有する筐体と、
前記筐体の内部に設けられ、前記気流を発生させる送風機と、
前記筐体の内部に設けられた圧縮機と、
前記筐体の内部を、前記圧縮機が収納される圧縮機室と前記送風機とが収納される送風機室とに仕切る仕切板と、
前記吹出口に接続されて前記送風機の外周に配置され、前記筐体の内部へ突出する端部を有するベルマウスと、
前記筐体の内部に設けられ、電気部品が搭載された制御基板と、
前記送風機室に設けられており、前記電気部品から発生した熱を放出する放熱部と、
前記放熱部を覆い、前記気流が通る通風路を形成する風向板と、
を備え、
前記放熱部のうち前記前面パネルの側の端部は、前記ベルマウスの端部の周縁全周を覆い前記前面パネルと平行に延びる仮想面と前記前面パネルとの間の領域にあって、かつ、正面視において前記放熱部は前記ベルマウスの端部の外側に隣り合わせて配置されており、
前記風向板は、前記仮想面と前記前面パネルとの間の領域には設けられていない
室外機。
【請求項２】
前記筐体は、前記前面パネルと対向する背面パネルを有し、
前記放熱部の通風路は、前記背面パネルから前記前面パネルに向かって形成され、
前記通風路の流入口は前記仮想面より前記背面パネル側に設けられ、
前記通風路の流出口は前記仮想面より前記前面パネル側に設けられている
請求項１に記載の室外機。
【請求項３】
前記筐体は、前記前面パネルと対向する背面パネルを有し、
前記放熱部の通風路は、前記背面パネルから前記前面パネルに向かって形成され、
前記通風路の流入口および流出口は前記仮想面より前記背面パネル側に設けられている
請求項１に記載の室外機。
【請求項４】
前記通風路は、第一の通風路と、第二の通風路とを有し、
前記第一の通風路における入口から出口までの距離は、前記第二の通風路における入口から出口までの距離よりも長い
請求項１から請求項３のいずれか一項に記載の室外機。
【請求項５】
前記電気部品は、前記第二の通風路に対向する位置に配置されている
請求項４に記載の室外機。
【請求項６】
前記第一の通風路の長さ及び前記第二の通風路の長さは前記風向板の長さに応じて異なり、前記風向板の風下側の端部は前記前面パネルと斜めに形成されている
請求項４または請求項５に記載の室外機。
【請求項７】
前記第一の通風路の長さ及び前記第二の通風路の長さは前記風向板の長さに応じて異なり、前記風向板の風下側の端部は円弧状に形成されている
請求項４または請求項５に記載の室外機。
【請求項８】
上面視において、前記第二の通風路は前記第一の通風路よりも前記ベルマウスの近くに設けられている
請求項６に記載の室外機。
【請求項９】
前記制御基板にはワイドギャップ半導体が実装されている
請求項１から請求項８のいずれか一項に記載の室外機。
【請求項１０】
請求項１から請求項９のいずれか一項に記載の室外機を備えた空気調和機。
【手続補正２】
【補正対象書類名】明細書
【補正対象項目名】０００６
【補正方法】変更
【補正の内容】
【０００６】
本発明に係る室外機は、気流の吹出口が形成された前面パネルを有する筐体と、筐体の内部に設けられ、気流を発生させる送風機と、筐体の内部に設けられた圧縮機と、筐体の内部を、圧縮機が収納される圧縮機室と送風機とが収納される送風機室とに仕切る仕切板と、吹出口に接続されて送風機の外周に配置され、筐体の内部へ突出する端部を有するベルマウスと、筐体の内部に設けられ、電気部品が搭載された制御基板と、送風機室に設けられており、電気部品から発生した熱を放出する放熱部と、放熱部を覆い、気流が通る通風路を形成する風向板と、を備え、放熱部のうち前面パネルの側の端部は、ベルマウスの端部の周縁全周を覆い前面パネルと平行に延びる仮想面と前面パネルとの間の領域にあって、かつ、正面視において放熱部はベルマウスの端部の外側に隣り合わせて配置されており、風向板は、仮想面と前面パネルとの間の領域には設けられていない。
【手続補正３】
【補正対象書類名】明細書
【補正対象項目名】００１５
【補正方法】変更
【補正の内容】
【００１５】
熱交換器２２は、積層された複数のフィンとフィンを貫通する伝熱管とを有しており、伝熱管を通過する冷媒と空気との間で熱交換を行う。熱交換器２２は、上面視においてＬ字型に屈曲した形状を有しており、背面パネル８及び左側面パネル４に沿って配置されている。圧縮機１４は、冷媒を圧縮して吐出する装置であり、後述する機械室１２内に配置されている。
【手続補正４】
【補正対象書類名】明細書
【補正対象項目名】００１８
【補正方法】変更
【補正の内容】
【００１８】
電装品箱１５は、空気調和機の構成部品を制御するためのものであり、仕切り板１０の上部に、送風機室１１と機械室１２とに跨がって配置されている。電装品箱１５は、電気部品１７が取り付けられた制御基板１６が収容され、電気部品１７には、電気部品１７から発生した熱を放出する放熱部１８が取り付けられている。また、放熱部１８は一部が風向板２０で覆われている。
【手続補正５】
【補正対象書類名】明細書
【補正対象項目名】００２７
【補正方法】変更
【補正の内容】
【００２７】
ベース１９は、電気部品１７に取り付けられ、Ｙ方向に延びる長方形状の板状部材である。フィン２１は長手方向の長さがベース１９の長手方向の長さと等しい長方形状であり、ベース１９の短手方向（Ｘ方向）に複数形成されている。
【手続補正６】
【補正対象書類名】明細書
【補正対象項目名】００３０
【補正方法】変更
【補正の内容】
【００３０】
傾斜部２０ｂの風上側端部が、風向板２０の風上側端部２０ｃに相当し、平面部２０ａの風下側端部が、風向板２０の風下側端部２０ｄに相当する。通風路２３は背面パネル８から前面パネル３に向かって形成され、送風機１３によってＹ方向に風が送られる。風向板２０の傾斜部２０ｂによって、通風路２３に対する空気の流速を増加させることができる。
【手続補正７】
【補正対象書類名】明細書
【補正対象項目名】００３１
【補正方法】変更
【補正の内容】
【００３１】
風向板２０の風上側端部２０ｃは、複数のフィン２１の風上側端部２１ｃよりも風上側に配置されており、放熱部１８の複数のフィン２１の風下側の一部は風向板２０に覆われておらず、開放されている。
【手続補正８】
【補正対象書類名】明細書
【補正対象項目名】００３９
【補正方法】変更
【補正の内容】
【００３９】
放熱部１０１８の流入口１０２４から流入した空気は、筐体２の前面パネル３に向かって流出口１０２５から流出するが、空気が流出した空間は、前面パネル３と、天面パネル７と、筐体２の内部に張り出したベルマウス９と、送風機室１１と機械室１２とを区画する仕切り板１０と、さらには放熱部１０１８の流出口１０２５とに囲われた閉塞空間となっている。そのため、閉塞空間の圧力は高く、放熱部１０１８の流出口１０２５側は背面パネル８から前面パネル３に開口した開口部３ａに向かって空気が流れている、仮想面Ｓより風下側にある空間よりは圧力が低いため、通風路１０２３に空気が流通しにくくなる。
【手続補正９】
【補正対象書類名】明細書
【補正対象項目名】００４６
【補正方法】変更
【補正の内容】
【００４６】
図９に示すように、変形例１の風向板２０には、例えば円形形状の流出口２５ｃが形成されている。流出口２５ｃは仮想面Ｓよりも風上側から風下側にかけて形成されている。このように構成された放熱部１８にあっても、仮想面Ｓよりも風上側である、流出口２５が流入口２４側よりも圧損が小さい空間に向かって形成されているため、通風路２３に空気が流通しやすくなり放熱部１８の冷却能力が向上する。
【手続補正１０】
【補正対象書類名】明細書
【補正対象項目名】００５０
【補正方法】変更
【補正の内容】
【００５０】
図１０に示すように、実施の形態２に係る室外機１の放熱部１８は、長方形状の平面部３０ａと、平面部３０ａの長手方向側の端部に傾斜部３０ｂとを有する風向板３０を備えている。傾斜部３０ｂは、平面部３０ａの風上側に接続されている。平面部３０ａと傾斜部３０ｂとは、一体に形成されている。傾斜部３０ｂは、平面部３０ａに対して重力方向（Ｚ方向）に傾斜している。平面部３０ａは、Ｚ方向において、ベース１９に対向している。平面部３０ａは、複数のフィン２１の風向板側端部に接している。
【手続補正１１】
【補正対象書類名】明細書
【補正対象項目名】００５２
【補正方法】変更
【補正の内容】
【００５２】
さらに、図１１に示すように、風向板３０の風上側端部３０ｃは、Ｘ方向において、第一の風上側側面端部３０ｅと第二の風上側側面端部３０ｆとを有している。風向板３０の風下側端部３０ｄは、複数のフィン２１の風下側端部２１ｄに対して斜めに直線状に形成されており、Ｘ方向において、第一の風下側側面端部３０ｇと第二の風下側側面端部３０ｈとを有している。第一の風上側側面端部３０ｅ及び第一の風下側側面端部３０ｇは仕切り板１０に対向した端部であり、第二の風上側側面端部３０ｆ及び第二の風下側側面端部３０ｈはベルマウス９に対向した端部である。
【手続補正１２】
【補正対象書類名】明細書
【補正対象項目名】００５６
【補正方法】変更
【補正の内容】
【００５６】
第二の風下側側面端部３０ｈは、仮想面Ｓよりも風上側に配置されているため、通風路２３の出口がベルマウス９よりも風上側にあり、空気の淀みが少なく圧損の低い空間に開口しているので、通風路２３に空気が流通しやすくなる。これにより、通風路２３に流通する空気の流速が上がり、放熱部１８の冷却能力を向上させることができる。
【手続補正１３】
【補正対象書類名】明細書
【補正対象項目名】００６４
【補正方法】変更
【補正の内容】
【００６４】
図１３に示すように、風向板３０の第一の風下側側面端部３０ｇは、風下側端部３０ｄのＸ方向における両端に位置する。また、風向板３０の第二の風下側側面端部３０ｈは、風下側端部３０ｄのＸ方向における中央に位置する。さらに、第一の風下側側面端部３０ｇと第二の風下側側面端部３０ｈとは直線状に接続されている。電気部品１７は、Ｘ方向において、第二の風下側側面端部３０ｈ側に配置されている。また、上面視において、電気部品１７は、第二の風下側側面端部３０ｈを通りＹ方向に平行な直線上に配置されている。
【手続補正１４】
【補正対象書類名】明細書
【補正対象項目名】００７０
【補正方法】変更
【補正の内容】
【００７０】
ベース１９０は、電気部品１７に取り付けられ、Ｙ方向に延びる長方形状の板状部材である。フィン２１０は長手方向の長さがベース１９０の長手方向の長さと等しい長方形状であり、ベース１９０の短手方向（Ｘ方向）に複数形成されている。
【手続補正１５】
【補正対象書類名】明細書
【補正対象項目名】００７２
【補正方法】変更
【補正の内容】
【００７２】
風向板２００は、平面部２００ａと、平面部２００ａの長手方向側の端部に傾斜部２００ｂとを有している。傾斜部２００ｂは、平面部２００ａの風上側に接続されている。平面部２００ａと傾斜部２００ｂとは、一体に形成されている。傾斜部２００ｂは、平面部２００ａに対して重力方向（Ｚ方向）に傾斜している。平面部２００ａは、Ｚ方向において、ベース１９０に対向している。
【手続補正１６】
【補正対象書類名】明細書
【補正対象項目名】００７３
【補正方法】変更
【補正の内容】
【００７３】
風向板２００は、風上側端部２００ｃと風下側端部２００ｄとを有する。風上側端部２００ｃは、傾斜部２００ｂの端部である。風上側端部２００ｃは、複数のフィン２１の風上側端部２１０ｃよりも風上側に配置されている。風下側端部２００ｄは、平面部２００ａの端部である。
【手続補正１７】
【補正対象書類名】明細書
【補正対象項目名】００７４
【補正方法】変更
【補正の内容】
【００７４】
図１４に示すように、放熱部１８０の風下側端部１８０ｄ及び風向板２００は仮想面Ｓよりも風上側に配置され、放熱部１８０および風向板２００は、仮想面Ｓと前面パネル３との間の領域である領域Ｒに配置されていない。
【手続補正１８】
【補正対象書類名】明細書
【補正対象項目名】００７５
【補正方法】変更
【補正の内容】
【００７５】
したがって、通風路２３０を通過した空気は、仮想面Ｓよりも風上側に流出するため、流出口で空気が淀むことなく、通風路２３０に十分な空気が流通し、放熱部１８０の冷却能力を向上させることができる。
【手続補正１９】
【補正対象書類名】明細書
【補正対象項目名】００８０
【補正方法】変更
【補正の内容】
【００８０】
また、上記した実施の形態１から３では、制御基板１６が水平に配置された横置きの例について説明したが、制御基板１６が重力方向（Ｚ方向）に配置される縦置きとしてもよい。その場合、複数のフィン２１、２１０は水平方向に延び、風向板２０、３０、２００の平面部２０ａ、３０ａ、２００ａはＺ方向に沿って延びるように配置される。
【手続補正２０】
【補正対象書類名】明細書
【補正対象項目名】００８１
【補正方法】変更
【補正の内容】
【００８１】
さらに、上記した実施の形態１から３では、風向板２０、３０、２００の平面部２０ａ、３０ａ、２００ａが、複数のフィン２１、２１０の風向板側端部に接続される例について説明したが、平面部２０ａ、３０ａ、２００ａと風向板側端部との間に間隙が形成されていてもよい。
【手続補正２１】
【補正対象書類名】明細書
【補正対象項目名】００８４
【補正方法】変更
【補正の内容】
【００８４】
なお、上記した実施の形態１から３の室外機１を、ヒートポンプ式給湯器の室外機に適用してもよい。
【手続補正２２】
【補正対象書類名】明細書
【補正対象項目名】００８５
【補正方法】変更
【補正の内容】
【００８５】
１  室外機、２  筐体、３  前面パネル、３ａ  開口部、３ｂ  内面、４  左側面パネル、４ａ  開口部、５  右側面パネル、６  底面パネル、７  天面パネル、８  背面パネル、８ａ  開口部、９  ベルマウス、９ａ  端部、１０  仕切り板、１１  送風機室、１２  機械室、１３  送風機、１４  圧縮機、１５  電装品箱、１６  制御基板、１７  電気部品、１８  放熱部、１８ｃ  風上側端部、１８ｄ  風下側端部、１９  ベース、２０  風向板、２０ａ  平面部、２０ｂ  傾斜部、２０ｃ  風上側端部、２０ｄ  風下側端部、２１  フィン、２１ｃ  風上側端部、２１ｄ  風下側端部、２２  熱交換器、２３  通風路、２３ａ  第一の通風路、２３ｂ  第二の通風路、２４  流入口、２５  流出口、２５ａ  流出口、２５ｂ  流出口、２５ｃ  流出口、３０  風向板、３０ａ  平面部、３０ｂ  傾斜部、３０ｃ  風上側端部、３０ｄ  風下側端部、３０ｅ  第一の風上側側面端部、３０ｆ  第二の風上側側面端部、３０ｇ  第一の風下側側面端部、３０ｈ  第二の風下側側面端部、１８０  放熱部、１８０ｃ  風上側端部、１８０ｄ  風下側端部、１９０  ベース、２００  風向板、２００ａ  平面部、２００ｂ  傾斜部、２００ｃ  風上側端部、２００ｄ  風下側端部、２１０  フィン、２１０ｃ  風上側端部、２１０ｄ  風下側端部、２３０  通風路、１０１８  放熱部、１０２０  風向板、１０２０ｂ  傾斜部、１０２０ｄ  風下側端部、１０２１  フィン、１０２１ｄ  風下側端部、１０２３  通風路、１０２４  流入口、１０２５  流出口、１０２５ａ  流出口、Ｓ  仮想面、Ｒ  領域。
【国際調査報告】
2019150577.tif 000017
2019150577.tif 000018
2019150577.tif 000019
2019150577.tif 000020